(57)【特許請求の範囲】
【請求項１】
パニエを具えたドレスの内側に装着する補助装具であって、この補助装具は腰部から足元に向けて両脚を筒状に覆うような形状の収容本体と、収容本体の下縁部に沿って巡らされた環状の保形芯材と、保形芯材の近くを基端として肩掛け可能なようにループ状に形成されている吊りストラップとを具え、前記保形芯材を足元側から腰部側に向けて持ち上げることにより収容本体を裏返し状とし、その外周面側にポケット部を現出させ、ここにパニエを具えたドレスの下方部材を仮収容するようにしたことを特徴とするパニエを具えたドレスの補助装具。
【請求項２】
前記収容本体は、下縁部で保形芯材を断面筒状の芯材保持部で支持するとともに、芯材保持部はギャザリング処理により収容本体の下縁部の自由長を保形芯材の周寸法より大きく確保していることを特徴とする請求項１記載のパニエを具えたドレスの補助装具。
【請求項３】
前記収容本体は、その内側に複筒状に補助スカートを具えていることを特徴とする請求項１または２記載のパニエを具えたドレスの補助装具。
【発明の詳細な説明】
【技術分野】
【０００１】
本発明は、例えばウエディングドレス等のパニエを具えたドレスを着用した場合であっても、そのままトイレ等の用を足すことのできる、パニエを具えたドレスの補助装具に関するものである。
【背景技術】
【０００２】
ウエディングドレスや和服等の正装用の服装の場合、着付け自体において着用者自身の多くの手間はもとより補助者による支援が欠かせない。このため、ウエディングドレス等の着用者は、現実的にはトイレ等の用を足す場合には、あらためて着直す前提で結婚式等の式典に臨んでいる。しかしながら、実際には着用者の体調やあるいは屋外の冷涼状態での記念撮影等があったりして、トイレ等の用を足さなければならない場合も少なくない。また加えて最近の結婚式の傾向では女性のお色直しの習慣が減りつつあり、従来ではこのお色直しの時間を利用してトイレ等の用を足すことも可能であったが、このような傾向ではますますウエディングドレス等を着用した女性に関してはトイレ等の利用が過剰に制約されている。しかしながら従来このようなウエディングドレス等の正装をした際のトイレ等の利用に関し、身装具における工夫はほとんどされていない。あえて従前手法を挙げれば、特開平８−７４１０７号のように常時着用するのではなく、別途用意する袋カバー状のもので、着衣下方をカバーするように穿き着ける着想にとどまる。もとより上述のような状況は、演奏会、映画撮影、演劇等の出演者等にとっても同様に経験されるものであり、その解決が望まれていた。
【先行技術文献】
【特許文献】
【０００３】
【特許文献１】特開平８−７４１０７号
【発明の概要】
【発明が解決しようとする課題】
【０００４】
本発明はこのような背景を考慮してなされたものであって、パニエを具えたウエディングドレス等の正装をした場合であっても、トイレ等の用を比較的簡単に済ますことのできる補助装具の開発を技術課題としたものである。
【課題を解決するための手段】
【０００５】
まず請求項１記載のパニエを具えたドレスの補助装具は、パニエを具えたドレスの内側に装着する補助装具であって、この補助装具は腰部から足元に向けて両脚を筒状に覆うような形状の収容本体と、収容本体の下縁部に沿って巡らされた環状の保形芯材と、保形芯材の近くを基端として肩掛け可能なようにループ状に形成されている吊りストラップとを具え、前記保形芯材を足元側から腰部側に向けて持ち上げることにより収容本体を裏返し状とし、その外周面側にポケット部を現出させ、ここにパニエを具えたドレスの下方部材を仮収容するようにしたことを特徴として成るものである。
【０００６】
また請求項２記載のパニエを具えたドレスの補助装具は、前記収容本体については、下縁部で保形芯材を断面筒状の芯材保持部で支持するとともに、芯材保持部はギャザリング処理により収容本体の下縁部の自由長を保形芯材の周寸法より大きく確保していることを特徴として成るものである。
【０００７】
また請求項３記載のパニエを具えたドレスの補助装具は、前記収容本体については、その内側に複筒状に補助スカートを具えていることを特徴として成るものである。
【発明の効果】
【０００８】
まず請求項１記載の発明によれば、収容本体を裏返し状に持ち上げることによりポケット部を脚部周囲に形成することができることから、そこにドレス、スカート等をまとめ入れることができ、トイレ等を利用する際に支障を生じない状態をとることができる。加えて、吊りストラップは肩掛け自在のループ状であるから、収容本体を裏返し状に持ち上げてポケット部を形成する場合であってもその状態を容易に形成・維持することができる。
【０００９】
また請求項２記載の発明によれば、収容本体の下方に設けられている保形芯材を保持する部位についてはギャザリング処理がされており、結果的にポケット部を大容量に確保でき、ここに仕舞い込むドレス等のボリュームがあったとしても充分にこれを収めることができる。
【００１０】
更にまた請求項３記載の発明によれば、ドレス等を収容本体のポケット部に仕舞い上げたときでも、露出しがちな下半身を補助スカートにより充分覆うことができる。
【図面の簡単な説明】
【００１１】
【図１】本発明たるパニエを具えた（ウエディング）ドレスの補助装具の使用状態を示す斜視図である。
【図２】同上補助装具のみを示す斜視図であり、その一部を拡大して示す。
【図３】同上補助装具の使用手順を示す正面図である。
【図４】本発明の他の実施例を示す正面図である。
【図５】同上更に他の実施例を示す正面図である。
【図６】同上更に他の実施例を示す斜視図である。
【図７】同上更に他の実施例を示す斜視図である。
【発明を実施するための形態】
【００１２】
本発明を実施するための形態は、以下に述べる実施例をその一つとするものであり、更にこの技術思想の中で改変される種々の形態をも含むものである。
【実施例】
【００１３】
以下本発明を図示の実施例に基づいて具体的に説明する。なおこれら図面は人型を模したダミーＤに対し、補助装具１、ドレス２あるいは更にはドレス２の下に装着するパニエ３等を装着した状態を図示したものである。まず例えば結婚式を想定したときに装着するウエディングドレスのドレス２の多くは、その下方部材であるドレススカート２１が裾広がり状となるよう、内部にパニエ３等を着付けた状態となっている。このような状態で本発明の補助装具１を用いるものであり、ドレス２とパニエ３を用いているときにはその下側（内側）に補助装具１を装着する。
【００１４】
この補助装具１の具体的形状としては例えばスカート状に下広がり状の例えば布製の収容本体１１に対し、その下端部近くに柔軟で且つ一定のコシを持った樹脂等の円環状の保形芯材１２を取り付けている。具体的には収容本体１１の下端全周にわたって連続または不連続状に芯材保持部１３を形成し、この芯材保持部１３内に保形芯材１２を収めたような形態である。なお芯材保持部１３については、一例として断面袋状とし、且つギャザリング加工（符号１３ａで示す）をして伸縮自在になるように構成することが好ましい。即ちギャザリング加工された芯材保持部１３を延ばしたときの自由寸法が、保形芯材１２の周長よりも長くなるような構成をとると、収容操作の面で、あるいは収容容量の面で自由度を増すことができる。また収容本体１１の上部は腰締部１４であって、ゴム等を補助的に用いるほか、更に挿着を確実にするため、ベルト１４ａ等を補助的に用いてもよい。なお図２に示す実施例では、その固定を面ファスナＦで行うものを図示した。
【００１５】
そして前記収容本体１１は、下端部の保形芯材１２の周囲近くに左右一対の吊りストラップ１５を設ける。具体的には肩掛けループ状となっており、その途中に左右の吊りストラップ１５を連結して肩掛け状態が外れないようにクロスバンド１５ｂを設けることが好ましい。クロスバンド１５ｂは左右の吊りストラップ１５におけるループ状部１５ａから短寸のベルト状部材が分岐して延び、それぞれは面ファスナーＦ等によって固定自在に構成されている。なおこの吊りストラップ１５は、常時は、収容本体１１の下方に収め止められたように保持されていることが好ましい。このため、図１、２（ｃ）（ｄ）に示すように収容本体１１の下縁、即ち保形芯材１２の近くにポケット状のストラップ収め部１５ｃを設けるものであり、上方において面ファスナーＦによりストラップ収め部１５ｃを閉塞する。
【００１６】
そして収容本体１１の装着状態の外周面は、通常時（非機能時）は、下広がりのスカート状を呈している。一方この補助装具１を機能させるときは、保形芯材１２を足元側からそのまま腰部側に向けて、上方に持ち上げる。これによりあたかも収容本体１１は裏返し状となり、外周面が袋状を呈し、ここにポケット部１６が形成される。更に通常時スカート状を呈する収容本体１１の内側には、図４に示すように補助スカート１７を設けておくことが好ましい。これによって、ドレススカート２１等をたくし上げてポケット部１６に収容した際、下半身を覆っておくことが可能となる。
【００１７】
本発明の一例であるウエディングドレスの補助装具は以上述べたような構成を基本的な構成とするものであり、この使用状態について説明する。まずドレス２等を着用する場合、それに先立ち補助装具１をスカート状に装着するものであって、腰締部１４を利用して腰部上方にこれを固定する。なおこのとき吊りストラップ１５は体の左右両側に位置するように装着する。このような装着が終わった後、パニエ３を装着し、その外側にドレススカート２１を着用する。なお結婚式等の場合、ドレススカート２１の後方に更にトレーン２２等を装着することもある。
【００１８】
このような状態で例えばトイレ等の用を足す必要が生じたときには、収容本体１１の保形芯材１２を上方に持ち上げるようにして、更に吊りストラップ１５を着用者の肩等に掛けて固定する。このような状態となった場合、収容本体１１の外周部側は裏返し状となり、保形芯材１２の内側にポケット部１６が形成され、ここにドレススカート２１等をまとめ入れるような状態とする。結果的に着用者の脚部近くの自由度が生じ、適宜、トイレ等の用を足すことが可能となる。このような状態において補助スカート１７が設けられているときには、このまま露出しがちな下半身を充分覆い隠すようにしており、使用のためらいがほとんど生じない。
【００１９】
〔他の実施の形態〕
まず収容本体１１の構成素材について述べると、このものは一般的な布をスカート状に形成したものであってもよいが、図５に示すように、通気性や装着感等を考慮してメッシュ状のもの、更には細幅の平紐状のものをカゴ状ないしは格子状とでも表現するような形状に組み合わせたもの等を用いることができる。また保形芯材１２についても、必ずしも芯材保持部１３にすべて収納する必要はなく、適宜図７に示すような環状ないしはループ状の芯材保持部１３ｂによって一定間隔開けながら支持してもよい。また保形芯材１２は一定寸法の直径の環状部材としてもよいが、図６に示すように一定の範囲で保形芯材１２が重なり合い、適宜その有効径を広がり自在になるように構成したものであってもよい。なおこのように環状の保形芯材１２が連続環状でなく、一部分断されているときには、芯材保持部１３を縫い込み形成した場合、その後工程でこのものを嵌め込むことができ、製作上の手間がかからない。
【００２０】
本発明のパニエを具えたドレスの補助装具１については、以上述べたようなウエディングドレスを着用した場合の効果が期待できるものであるが、他の着付け等が比較的手間取るような和服等の場合であっても有効に利用し得る。このような他の衣装を含める意味で、本明細書の表現としてウエディングドレス等と記載するものである。
【符号の説明】
【００２１】
１      補助装具
１１    収容本体
１２    保形芯材
１３    芯材保持部
１３ａ  ギャザー加工部
１３ｂ  芯材保持部
１４    腰締部
１４ａ  ベルト
１５    吊りストラップ
１５ａ  ループ状部
１５ｂ  クロスバンド
１５ｃ  ストラップ収め部
１６    ポケット部
１７    補助スカート
２      ドレス
２１    ドレススカート
２２    トレーン
３      パニエ
Ｄ      ダミー
Ｆ      面ファスナー
【要約】
【課題】  ウエディングドレス等の正装をした場合であっても、トイレ等の用を比較的簡単に済ますことのできる補助装具の開発を技術課題とした。
【解決手段】  ウエディングドレス等の補助装具１は、ウエディングドレス等の内側に装着する補助装具であって、この補助装具は腰部から足元に向けて両脚を筒状に覆うような形状の収容本体１１と、収容本体１１の下縁部に沿って巡らされた環状の保形芯材１２と、保形芯材１２の近くを基端とした吊りストラップ１５とを具え、前記保形芯材１２を足元側から腰部側に向けて持ち上げることにより収容本体１１を裏返し状とし、その外周面側にポケット部１６を現出させ、ここにウエディングドレス等の下方部材を仮収容するようにしたことを特徴として成る。
【選択図】図１【図１】
0005893793.tif 000002
【図２】
0005893793.tif 000003
【図３】
0005893793.tif 000004
【図４】
0005893793.tif 000005
【図５】
0005893793.tif 000006
【図６】
0005893793.tif 000007
【図７】
0005893793.tif 000008